(57)【特許請求の範囲】
【請求項１】
建物の壁材と床材とで形成される直角な角部に、上部幅木と下部幅木とを、上部幅木の下端部に形成した内側突部と、下部幅木の上部に形成した外側突部とを、前記内側突部の上に前記外側突部を重ねて重合した姿勢で取付ける分離型の幅木であって、
上部幅木の内側突部の下端面を壁材側から逆側に向けて下降傾斜させて、該下端面と壁材との間に直角三角形状の係合凹部を形成すると共に、下部幅木の、前記内側突部の下端面に対向する部分に壁材側に向けて上昇傾斜させた三角形状の係合凸部を形成し、
上部幅木を壁材に固定するものとし、下部幅木を、その係合凸部を前記係合凹部に係合させることによって取付けるものとしてなることを特徴とする幅木。
【請求項２】
建物の壁材と床材とで形成される直角な角部に、上部幅木と下部幅木とを、上部幅木の下端部に形成した内側突部と、下部幅木の上部に形成した外側突部とを、前記内側突部の上に前記外側突部を重ねて重合した姿勢で取付ける分離型の幅木であって、
上部幅木の内側突部の下端面を壁材側から逆側に向けて下降傾斜させて、該下端面と壁材との間に直角三角形状の係合凹部を形成すると共に、下部幅木の、前記内側突部の下端面に対向する部分に壁材側に向けて上昇傾斜させた三角形状の係合凸部を形成し、
上部幅木を壁材に固定するものとし、下部幅木を、その係合凸部を前記係合凹部に係合させることによって取付けるものとしてなり、
その上、前記下部幅木の壁材側下端部に傾めに切欠いた切欠部を形成し、下部幅木の取付け時および取外し時における床材との接触抵抗を小さくしてなることを特徴とする幅木。
【発明の詳細な説明】
【０００１】
【発明の属する技術分野】
本発明は、住宅等の建物において、壁材と床材とで形成される角部に取付けられる幅木に関するものである。
【０００２】
【従来の技術】
住宅等の建物においては、通常、図４に示すように、壁材４と床材５とで形成される角部に、幅５０ｍｍ〜１００ｍｍ程度の幅木６と呼ばれる板状建材が設けられている。
この幅木６は、一般に、壁材（クロス等の仕上げ材）４および床材（フローリング等）５の施工が完了した後に、壁材４と床材５との境界部分（角部）に、頭部が目立たない特殊な釘（フィニッシュネイル）３と接着剤とで取付けられる。
【０００３】
しかし、この一体型の幅木６は、幅広であるため、床材５の不陸（うねりや凹凸）に対応して柔軟に湾曲することが困難である。そのため、床材５との間に隙間６ａが発生して見栄えが悪くなったり、また、その隙間６ａに塵埃がたまって害虫が発生し易くなるといった問題がある。さらに、この一体型の幅木６は、床材５を取替える場合に取外す必要があるため、その際に壁材４を傷めてしまうといった問題もある。
【０００４】
こうした点に鑑み、近年、図５に示すように、上部幅木７ａと下部幅木７ｂの二つに分離し、上部幅木７ａを壁材４に固定し、下部幅木７ｂを釘３で床材５に固定する分離型の幅木７が創案されている（例えば、特開平１１−１０７５０９号公報や特開２０００−２２０２８５号公報に記載のもの）。
この分離型の幅木７は、その下部幅木７ｂを床材５に密着させて隙間の発生を防止しているので、見栄えが良く、害虫の発生を抑えることができる。また、床材５を取替える場合には、下部幅木７ｂのみを取外せば良いので、壁材４を傷めることがないといった利点がある。
【０００５】
【発明が解決しようとする課題】
しかしながら、この従来の分離型の幅木７には、次のような問題点がある。
（１）下部幅木７ｂの取付けに危険が伴う。
幅木７の下部幅木７ｂを床材５に釘３で固定する際に、その下部幅木７ｂを片手で押えて釘３を打込む必要があるために、誤ってその手に釘３を打込んでしまうといった事故が発生し易い（図６参照）。この釘３の打込み作業は、一体型の幅木６においても行われるが、分離型の幅木７における下部幅木７ｂは、一体型の幅木６より幅が狭いので、こうした危険性が高い。またネイラー（自動釘打機）８を使用すると、釘３を持つ必要がないので作業が容易となるが、片手で下部幅木７ｂを押さえる作業は依然必要であり、手を傷つける危険性は同様に高い。
【０００６】
（２）下部幅木７ｂの位置ずれが発生し易い。
下部幅木７ｂを片手で押えた状態で釘３を打込むので、下部幅木７ｂを所定の位置に確実に位置させることが困難であり、よって、位置ずれが発生し易い。
【０００７】
（３）施工が複雑で厄介である。
幅木７の上部幅木７ａを壁材４に固定する工程と、下部幅木７ｂを床材５に釘３で固定する工程を必要とするので取付け作業が複雑で厄介なものとなる。
【０００８】
（４）下部幅木７ｂを再使用することができない。
下部幅木７ｂには釘３が打込まれ、また、接着剤が付着している場合もあるので、一旦取外した後、再び取付けて使用することができない。これにより、産業廃棄物を多く排出する結果にもなる。
【０００９】
（５）長期間の使用が困難となる。
床材５を交換する際に取外した下部幅木７ｂは再使用することができないので、新たに購入する必要がある。しかし、１０年程度使用した幅木７は経時変化による変色が生じているため、下部幅木７ｂのみを新しくすると古い上部幅木７ａと色が異なるので違和感を生じてしまう。従って、上部幅木７ａも新しいものと交換する必要が生じ、結果として幅木７の使用期間が短くなってしまう。
また、当該幅木７がすでに生産中止となって、下部幅木７ｂを入手することができず、よって、まだ使用できる上部幅木７ａと共に交換せざるを得ない状態も生じ得る。これによっても、幅木７の使用期間が短くなる。
【００１０】
そこで、本発明の目的とするところは、（１）下部幅木の取付けに危険を伴わず、（２）下部幅木の位置ずれが発生せず、（３）施工が容易で、（４）下部幅木を再使用することができ、（５）長期間にわたって使用することができる幅木を提供することにある。
【００１１】
【課題を解決するための手段】
上記の目的を達成するために、本発明の請求項１に記載の幅木は、建物の壁材（４）と床材（５）とで形成される直角な角部に、上部幅木（１）と下部幅木（２）とを、上部幅木（１）の下端部に形成した内側突部（１ａ）と、下部幅木（２）の上部に形成した外側突部（２ａ）とを、前記内側突部（１ａ）の上に前記外側突部（２ａ）を重ねて重合した姿勢で取付ける分離型の幅木であって、上部幅木（１）の内側突部（１ａ）の下端面を壁材（４）側から逆側に向けて下降傾斜させて、該下端面と壁材（４）との間に直角三角形状の係合凹部（１ｂ）を形成すると共に、下部幅木（２）の、内側突部（１ａ）の下端面に対向する部分に壁材（４）側に向けて上昇傾斜させた三角形状の係合凸部（２ｂ）を形成し、上部幅木（１）を壁材（４）に固定するものとし、下部幅木（２）を、その係合凸部（２ｂ）を係合凹部（１ｂ）に係合させることによって取付けるものとしてなることを特徴とする。
【００１２】
また、請求項２に記載の幅木は、建物の壁材（４）と床材（５）とで形成される直角な角部に、上部幅木（１）と下部幅木（２）とを、上部幅木（１）の下端部に形成した内側突部（１ａ）と、下部幅木（２）の上部に形成した外側突部（２ａ）とを、前記内側突部（１ａ）の上に前記外側突部（２ａ）を重ねて重合した姿勢で取付ける分離型の幅木であって、上部幅木（１）の内側突部（１ａ）の下端面を壁材（４）側から逆側に向けて下降傾斜させて、該下端面と壁材（４）との間に直角三角形状の係合凹部（１ｂ）を形成すると共に、下部幅木（２）の、内側突部（１ａ）の下端面に対向する部分に壁材（４）側に向けて上昇傾斜させた三角形状の係合凸部（２ｂ）を形成し、上部幅木（１）を壁材（４）に固定するものとし、下部幅木（２）を、その係合凸部（２ｂ）を係合凹部（１ｂ）に係合させることによって取付けるものとしてなり、その上、下部幅木（２）の壁材（４）側下端部に傾めに切欠いた切欠部（２ｃ）を形成し、下部幅木（２）の取付け時および取外し時における床材（５）との接触抵抗を小さくしてなることを特徴とする。
【００１５】
なお、カッコ内の記号は、図面および後述する発明の実施の形態に記載された対応要素または対応事項を示す。
【００１６】
本発明の請求項１又は２に記載の幅木によれば、次のような作用効果を発揮する。
（１）下部幅木の取付けを安全に行うことができる。
下部幅木は、その係合凸部を、上部幅木と壁材とで形成した係合凹部に係合するのみで取付けることができ、釘の打込み作業を必要としないからである。
（２）下部幅木を位置ずれなく正確に取付けることができる。
下部幅木を、その係合凸部を上部幅木の係合凹部に係合させて取付けるので、片手で押える必要がなく、両手を使って所定の位置に設置することができるからである。
（３）施工が容易である。
下部幅木を必ずしも釘で打付ける作業が必要ないため、容易に取付けることができる。
（４）下部幅木を再使用することができる。
下部幅木には必ずしも釘を打込む必要がないため、一旦取外した後でも繰返し使用することができる。これにより、産業廃棄物の発生を抑制するといった二次的効果もある。
（５）長期間にわたって使用することができる。
下部幅木は繰返し使用することができるので、新たな下部幅木を使用することによる、上部幅木との色の違いが発生しないからである。
【００１７】
特に、請求項２に記載の発明によれば、下部幅木の壁材側下端部に傾めに切欠いた切欠部を形成したので、上部幅木を固定した後に下部幅木を取付ける場合あるいは下部幅木を取外す場合に、床材との接触抵抗を小さくすることができる。
従って、下部幅木の取付けおよび取外しを容易に行うことができる。
【００１９】
【発明の実施の形態】
図１および図２を参照して、本発明の実施形態に係る幅木について説明する。図１は幅木を取付けた状態を示す側面断面図であり、図２はその取付けの過程を示す側面断面図である。従来例で示したものと同一部分には同一符号を付した。本発明の実施形態に係る幅木は、木造住宅の壁材（クロス）４と床材（フローリング）５とで形成される直角な角部に、上部幅木１と下部幅木２とを、上部幅木１の下端部に形成した内側突部１ａと、下部幅木２の上部に形成した外側突部２ａとを重合した姿勢で取付けるいわゆる分離型である。
【００２０】
この分離型の幅木において、上部幅木１の内側突部１ａの下端面を壁材４側からその逆側（図１において右側）に向けて下降傾斜させて、当該下端面と壁材４との間に直角三角形状の係合凹部１ｂを形成すると共に、下部幅木２の、上部幅木１の内側突部１ａの下端面に対向する部分に壁材４側（図１において左側）に向けて上昇傾斜させた三角形状の係合凸部２ｂを形成している。そして、上部幅木１を壁材４に釘３で固定するものとし、下部幅木２を、その係合凸部２ｂを係合凹部１ｂに係合させることによって取付けることとしている。
【００２１】
この幅木を取付ける方法は二つある。一つは、まず、上部幅木１を所定の位置に釘３や接着剤で固定した後、下部幅木２を、その係合凸部２ｂを係合凹部１ｂに嵌め込んで係合させる方法である。もう一つは、先に、下部幅木２を、例えば各種ファスナーやマジックテープや両面テープ程度の簡単な着脱可能な固定手段で仮固定し、次いで、上部幅木１を、その内側突部１ａを外側突部２ａと壁材４との間の空間部分に嵌入し、上部幅木１のみを釘３や接着剤等で固定する方法である。この場合も、係合凸部２ｂと係合凹部１ｂを係合した状態とする。
【００２２】
本実施形態に係る幅木は、下部幅木２の取付けを、その係合凸部２ｂを、上部幅木１と壁材４とで形成した係合凹部１ｂに係合することによって行っていて、係合した状態で下部幅木２は壁材４の垂直方向（図１において左右方向）に移動不能にされているので、従来のように釘３を使用せず、よって安全に取付けることができる。
【００２３】
なお、下部幅木２を木ねじで固定する場合は、係合凸部２ｂと係合凹部１ｂの係合が仮固定のはたらきをするので、木ねじの打込み作業を行う際に、下部幅木２を片手で抑えておく必要がなく、従って、安全に作業を行うことができる。ちなみに、木ねじを使用した場合、釘３を使用した場合と異なり、下部幅木２は再使用に供することができる。なお、図３にはネイラー８を使用して固定する状態を示した。
また、下部幅木２の取付けを、係合凸部２ｂを係合凹部１ｂに係合させておこなうので、両手を使って正確な位置に取付けることができる。
【００２４】
また、下部幅木２を必ずしも釘３で打付ける作業が不要なため、簡単に取付けることができ、施工が容易である。なお、下部幅木２を取付けた状態において、下部幅木２が十分に固定されていない場合は、一旦下部幅木２を取外し、固定が不十分な部分を接着剤によって固定することができる。なお、下部幅木２の取外しは、ドライバー等の工具を使用することによって無理なく行うことができる。
【００２５】
さらに、下部幅木２には必ずしも釘３を打込む必要がないため、一旦取外した後でも、繰返し使用することができる。またさらに、下部幅木２は繰返し使用することができるので、新たな下部幅木２を使用することによる、上部幅木１との色の違いが発生しないため、長期間にわたる使用が可能となる。
【００２６】
なお、本実施形態に係る幅木は、下部幅木２の壁材４側下端部に切欠部２ｃを形成している。これによって、上部幅木１を固定した後に下部幅木２を取付ける場合や下部幅木２を取外す場合に、床材５との接触抵抗を小さくすることができ、下部幅木２の取付けおよび取外しを容易に行うことができる。
【００２７】
この幅木は、上記の作用効果の外に、置き敷き床材を使用する建物に適しているといった特性を有する。置き敷き床材は仮設的な床材５であり、季節に合わせて容易かつ頻繁に交換することができるものであるが、本発明の幅木は、下部幅木２の取外しが容易であるので、置き敷き床材の交換も容易に行うことができるからである。また、下部幅木２と置き敷き床材との間に隙間が形成されないので、当該置き敷き床材の端部を正確にカットする必要がないからでもある。さらに、梅雨時期等において床材５が膨張した場合でも、下部幅木２に覆われた部分は伸びを吸収するゾーンとなり、よって床材５の突上げや踏み鳴りの発生防止にも効果がある。
【００２８】
なお、本発明に係る幅木は、従来の分離型の幅木と同様に、下部幅木２の幅が狭いので床材５の不陸に対応することができ、また、床材５を交換する際に、下部幅木２のみを取外せば良いので床材５を傷つけないといった作用効果を併せ持つ。
【００２９】
なお、上述した係合凹部１ｂと係合凸部２ｂとの形状は限定されるものではなく、壁材４に上部幅木１を取付けた状態で下部幅木２を嵌め込み可能にし、嵌め込まれた状態で下部幅木２を壁材４の垂直方向に移動不能にするものであればよい。
【００３０】
【発明の効果】
以上のとおり、本発明の請求項１又は２に記載の発明よれば、下部幅木の取付けを、その係合凸部を係合凹部に係合するのみで行うことができるので、下部幅木の取付けを安全に行うことができる、下部幅木を位置ずれなく正確に取付けることができる、施工が容易である、下部幅木を再使用することができる、長期間にわたる使用が可能である、といった作用効果を発揮する。
【００３１】
特に、請求項２に記載の発明によれば、下部幅木の壁材側下端部に傾めに切欠いた切欠部を形成したので、下部幅木の取付けおよび取外しを容易に行うことができる。
【図面の簡単な説明】
【図１】本発明の実施形態に係る幅木を取付けた状態を示す側面断面図である。
【図２】図１に示す幅木を取付けている状態を示す側面断面図である。
【図３】図１に示す幅木の下部幅木をネイラーを使用して固定している状態を示す斜視図である。
【図４】従来の一体型の幅木を取付けた状態を示す側面断面図である。
【図５】従来の分離型の幅木を取付けた状態を示す側面断面図である。
【図６】図５に示す幅木の下部幅木をネイラーを使用して固定している状態を示す斜視図である。
【符号の説明】
１    上部幅木
１ａ  内側突部
１ｂ  係合凹部
２    下部幅木
２ａ  外側突部
２ｂ  係合凸部
２ｃ  切欠部
３    釘
４    壁材
５    床材
６    一体型の幅木
６ａ  隙間
７    分離型の幅木
７ａ  上部幅木
７ｂ  下部幅木
８    ネイラー
【図１】
0003618289.tif 000002
【図２】
0003618289.tif 000003
【図３】
0003618289.tif 000004
【図４】
0003618289.tif 000005
【図５】
0003618289.tif 000006
【図６】
0003618289.tif 000007